(57)【特許請求の範囲】
【請求項１】
無線通信システムにおいて、端末（ＵＥ）がチャネル状態情報（ＣＳＩ）−参照信号（ＲＳ）を受信する方法において、
基地局から、第１空間準同位（ＱＣＬ）関連パラメータに基づいて、ＯＦＤＭシンボル上の資源ブロックを受信する段階であって、前記資源ブロックは、少なくとも一つの制御チャネルを含む、段階と、
前記基地局から、第２空間ＱＣＬ関連パラメータに基づいて、前記資源ブロックが受信される前記ＯＦＤＭシンボル上の前記ＣＳＩ−ＲＳを受信する段階と、を含み、
前記資源ブロック及び前記ＣＳＩ−ＲＳが前記ＯＦＤＭシンボル上で受信されるように設定されることに基づいて、
１）前記資源ブロックに対する受信ビームに基づいて、前記ＣＳＩ−ＲＳ対する受信ビームを設定するために、前記第１空間ＱＣＬ関連パラメータ及び前記第２空間ＱＣＬ関連パラメータは同一に設定され、
２）前記資源ブロック及び前記ＣＳＩ−ＲＳは、前記ＯＦＤＭシンボル上で周波数領域において周波数分割多重化（ＦＤＭ）される、方法。
【請求項２】
前記ＣＳＩ−ＲＳは、特定のポート数以下のＣＳＩ−ＲＳである、請求項１に記載の方法。
【請求項３】
前記特定のポート数の値は、ＲＲＣシグナリングによって設定される、請求項２に記載の方法。
【請求項４】
前記資源ブロックは、同期信号ブロック（ＳＳＢ）又は制御資源のセット（ＣＯＲＥＳＥＴ）である、請求項１に記載の方法。
【請求項５】
前記資源ブロックが前記ＣＯＲＥＳＥＴであることに基づいて、前記第１空間ＱＣＬ関連パラメータは、前記ＣＯＲＥＳＥＴの特定の資源に対して設定される、請求項４に記載の方法。
【請求項６】
前記ＣＯＲＥＳＥＴの特定の資源は、前記ＣＯＲＥＳＥＴのＰＤＣＣＨと関連した資源である、請求項５に記載の方法。
【請求項７】
無線通信システムにおいて、チャネル状態情報（ＣＳＩ）−参照信号（ＲＳ）を受信する端末において、
無線信号を送受信するためのＲＦモジュールと、
前記ＲＦモジュールと機能的に接続されているプロセッサと、を含み、
前記プロセッサは、
基地局から前記ＲＦモジュールを通して、第１空間準同位（ＱＣＬ）関連パラメータに基づいて、ＯＦＤＭシンボル上の資源ブロックを受信し、前記資源ブロックは、少なくとも一つの制御チャネルを含み、
前記基地局から前記ＲＦモジュールを通して、第２空間ＱＣＬ関連パラメータに基づいて、前記資源ブロックが受信される前記ＯＦＤＭシンボル上の前記ＣＳＩ−ＲＳを受信するよう構成され、
前記資源ブロック及び前記ＣＳＩ−ＲＳが前記ＯＦＤＭシンボル上で受信されるように設定されることに基づいて、
１）前記資源ブロックに対する受信ビームに基づいて、前記ＣＳＩ−ＲＳ対する受信ビームを設定するために、前記第１空間ＱＣＬ関連パラメータ及び前記第２空間ＱＣＬ関連パラメータは同一に設定され、
２）前記資源ブロック及び前記ＣＳＩ−ＲＳは、前記ＯＦＤＭシンボル上で周波数領域において周波数分割多重化（ＦＤＭ）される、端末。
【請求項８】
前記第２空間ＱＣＬ関連パラメータに基づいて、前記ＣＳＩ−ＲＳを受信するためのビームを設定する段階と、
前記設定されたビームを通して、前記基地局から前記ＣＳＩ−ＲＳを受信する段階と、を更に含む、請求項１に記載の方法。
【発明の詳細な説明】
【技術分野】
【０００１】
本明細書は、無線通信システムに関し、さらに詳細にはチャネルの状態情報（channel state information、ＣＳＩ）- 参照信号（reference signal、ＲＳ）を送受信する方法及びこれを支援するデバイスに関する。
【背景技術】
【０００２】
移動通信システムは、ユーザの活動性を保証しながら音声サービスを提供するために開発された。しかしながら、移動通信システムは音声だけでなく、データサービスまで領域を拡張し、現在には爆発的なトラフィックの増加によって資源の不足現象が引起こされ、ユーザがより高速のサービスを要求するので、より発展した移動通信システムが要求されている。
【０００３】
次世代の移動通信システムの要求条件は大きく、爆発的なデータトラフィックの収容、ユーザ当たり転送率の画期的な増加、大幅増加した連結デバイス個数の収容、非常に低い端対端遅延（End-to-End Latency）、高エネルギー効率を支援できなければならない。そのために、二重連結性（Dual Connectivity）、大規模多重入出力（Massive MIMO：Massive Multiple Input Multiple Output）、全二重（In-band Full Duplex）、非直交多重接続（NOMA：Non-Orthogonal Multiple Access）、超広帯域（Super wideband）支援、端末ネットワーキング（Device Networking）など、多様な技術が研究されている。
【発明の概要】
【発明が解決しようとする課題】
【０００４】
本発明の目的は、はＣＳＩ−ＲＳと、特定資源ブロックの間に同じシンボルでＦＤＭ（Frequency Division Multiplexing）する方法を提供することにある。
【０００５】
また、本発明の目的は、ＣＳＩ−ＲＳと、特定資源ブロックの間ＦＤＭされる場合、発生する衝突の問題を解決する方法を提供することにある。
【０００６】
本発明において解決しようとする技術的課題は、以上で言及した技術的課題に限定されず、言及していないまた他の技術的課題は、下の記載から、本発明が属する技術分野で通常の知識を有する者に明確に理解されることができる。
【課題を解決するための手段】
【０００７】
本明細書は、無線通信システムにおいてＣＳＩ−ＲＳを送受信する方法を提供する。
【０００８】
具体的に、端末によって実行される方法は、少なくとも一つの制御チャネルを含む資源ブロックの受信に関する第１空間（spatial）準同位（Quasi-Co location、ＱＣＬ）関連パラメータに基づいて前記資源ブロックを基地局から受信する段階と、前記資源ブロックと前記ＣＳＩ−ＲＳが同じシンボルに設定された場合、前記第１空間（spatial）ＱＣＬ関連パラメータと前記ＣＳＩ−ＲＳの受信のために設定された第２空間（spatial）ＱＣＬ関連パラメータは同一に設定され、前記第２空間（spatial）ＱＣＬ関連パラメータに基づいて前記ＣＳＩ−ＲＳを受信するためのビームを設定する段階と、前記設定されたビームを介して前記ＣＳＩ−ＲＳを、前記基地局から受信する段階を含むことを特徴とする。
【０００９】
また、本明細書において、前記資源ブロックと前記ＣＳＩ−ＲＳは、前記同じシンボルにおいて周波数分割多重化（Frequency Division Multiplexing、ＦＤＭ）されることを特徴とする。
【００１０】
また、本明細書において、前記ＣＳＩ−ＲＳは、ビームの管理（beam management、ＢＭ）のために設定されたＣＳＩ−ＲＳの資源（resource）から受信されることを特徴とする。
【００１１】
また、本明細書において、前記ＣＳＩ−ＲＳは、特定のポート数以下のＣＳＩ−ＲＳであることを特徴とする。
【００１２】
また、本明細書において、前記特定のポート数の値は、radio resource control（ＲＲＣ）シグナリング（signaling）によって設定されることを特徴とする。
【００１３】
また、本明細書において、前記資源ブロックは、同期信号ブロック（synchronization signal block、ＳＳＢ）または制御資源のセット（control resource set、ＣＯＲＥＳＥＴ）であることを特徴とする。
【００１４】
また、本明細書において、前記資源ブロックが前記ＣＯＲＥＳＥＴである場合、前記第１空間（spatial）ＱＣＬ関連パラメータは、前記資源ブロックの特定の資源に対し設定されることを特徴とする。
【００１５】
また、本明細書において、前記資源ブロックの特定の資源は、前記ＣＯＲＥＳＥＴのＰＤＣＣＨ（Physical Downlink Control Channel）と関連した資源であることを特徴とする。
【００１６】
また、本明細書においては、無線通信システムでチャネル状態情報（Channel State Information、ＣＳＩ）‐参照信号（Reference Signal、ＲＳ）を伝送する方法において、基地局によって実行される方法、少なくとも一つの制御チャネルを含む資源ブロックと前記ＣＳＩ−ＲＳを同じシンボルに設定する段階と、前記ＣＳＩ−ＲＳに対する空間（spatial）準同位（Quasi-Co location、ＱＣＬ）関連パラメータを前記資源ブロックの空間（spatial）ＱＣＬ関連パラメータと同じに設定する段階と、前記資源ブロック及び前記ＣＳＩ−ＲＳを、前記設定された同じシンボルで周波数分割多重化（Frequency Division Multiplexing、ＦＤＭ）に基づいて端末に伝送する段階を含みからなることを特徴とする。
【００１７】
また、本明細書においては、無線通信システムで、チャネル状態情報（Channel State Information、ＣＳＩ）‐参照信号（Reference Signal、ＲＳ）を受信する端末において、無線信号を送受信するためのＲＦ（Radio Frequency）モジュールと、前記ＲＦモジュールと機能的に接続されているプロセッサを含み、前記プロセッサは、少なくとも一つの制御チャネルを含む資源ブロックの受信と関する第１空間（spatial）準同位（Quasi-Co location、ＱＣＬ）関連パラメータに基づいて前記資源ブロックを基地局から受信し、前記資源ブロックと前記ＣＳＩ−ＲＳが同じシンボルに設定された場合、前記第１空間（spatial）ＱＣＬ関連パラメータと前記ＣＳＩ−ＲＳの受信のために設定された第２空間（spatial）ＱＣＬ関連パラメータは同一に設定され、前記第２空間（spatial）ＱＣＬ関連パラメータに基づいて前記ＣＳＩ−ＲＳを受信するためのビームを設定し、前記設定されたビームを介して前記ＣＳＩ−ＲＳを、前記基地局から受信するように設定されることを特徴とする。
【００１８】
また、本明細書においては、無線通信システムにおいて、チャネル状態情報（Channel State Information、ＣＳＩ）- 参照信号（Reference Signal、ＲＳ）を伝送する基地局において、無線信号を送受信するためのＲＦ（Radio Frequency）モジュールと、前記ＲＦモジュールと機能的に接続されているプロセッサを含み、前記プロセッサは、少なくとも一つの制御チャネルを含む資源ブロックと前記ＣＳＩ−ＲＳを同じシンボルに設定し、前記ＣＳＩ−ＲＳに対する空間（spatial）準同位（Quasi-Co location、ＱＣＬ）関連パラメータを前記資源ブロックの空間（spatial）ＱＣＬ関連パラメータと同じように設定し、前記資源ブロック及び前記ＣＳＩ−ＲＳを、前記設定された同じシンボルで周波数分割多重化（Frequency Division Multiplexing、ＦＤＭ）に基づいて端末に伝送するように設定されることを特徴とする。
【発明の効果】
【００１９】
本明細書は、ＲＸ chainが少なく実現された端末が複数のＣＳＩ−ＲＳを受信できるようにすることができる効果がある。
【００２０】
また、本明細書においてはＣＳＩ−ＲＳと、特定資源ブロックとの間のFDM適用時に発生することがある衝突の問題を解決することで、システムのパフォーマンスを向上させることができる効果がある。
【００２１】
本発明において得られる効果は、以上で言及した効果に制限されず、言及していないまた他の効果は以下の記載から、本発明が属する技術分野で通常の知識を有する者に明確に理解され得る。
【図面の簡単な説明】
【００２２】
本発明に係る理解を助けるために詳細な説明の一部として含まれる、添付図面は、本発明の実施形態を提供し、詳細な説明と共に本発明の技術的特徴を説明する。
【図１】図１は、本明細書において提案する方法が適用されることができるNRの全体的なシステムの構造の一例を示した図である。
【図２】図２は、本明細書において提案する方法が適用されることができる無線通信システムでアップリンクフレームとダウンリンクフレームとの間の関係を示す。
【図３】図３は、本明細書において提案する方法が適用されることができる無線通信システムで支援される資源グリッド（resource grid）の一例を示す。
【図４】図４は、本明細書において提案する方法が適用されることができるself-containedサブフレーム構造の一例を示す。
【図５】図５は、本発明が適用されることができる無線通信システムでトランシーバユニットモデルを例示する。
【図６】図６は、本発明が適用されることができる無線通信システムでTXRUと物理アンテナの観点から、ハイブリッドビームフォーミング構造を図式化した図である。
【図７】図７は、本発明が適用されることができる無線通信システムで、トランシーバユニットごとのサービスエリアを例示する図である。
【図８】図８は、本明細書において提案するＣＳＩ−ＲＳの受信に関する端末の動作を示すフローチャートである。
【図９】図９は、本明細書において提案するＣＳＩ−ＲＳの伝送に関連する基地局の動作を示すフローチャートである。
【図１０】図１０は、本明細書において提案するＣＳＩ−ＲＳの受信に関する端末の動作を示す別のフローチャートである。
【図１１】図１１は、本明細書において提案する方法が適用される無線通信装置のブロック構成図を例示する。
【図１２】図１２は、本発明の一実施形態に係る通信装置のブロック構成図を例示する。
【図１３】図１３は、本明細書において提案する方法が適用されることができる無線通信装置のＲＦモジュールの一例を示した図である。
【図１４】図１４は、本明細書において提案する方法が適用されることができる無線通信装置のＲＦモジュールの別の一例を示した図である。
【発明を実施するための形態】
【００２３】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は本発明がこのような具体的な細部事項無しでも実施できることが分かる。 
【００２４】
幾つかの場合、本発明の概念が曖昧になることを避けるために公知の構造及び装置は省略されるか、または各構造及び装置の核心機能を中心としたブロック図形式に図示できる。 
【００２５】
本明細書で、基地局は端末と直接的に通信を遂行するネットワークの終端ノード（terminal node）としての意味を有する。本文書で、基地局により遂行されるものとして説明された特定動作は、場合によっては、基地局の上位ノード（upper node）により遂行されることもできる。即ち、基地局を含む多数のネットワークノード（network nodes）からなるネットワークで、端末との通信のために遂行される多様な動作は基地局または基地局の以外の他のネットワークノードにより遂行できることは自明である。‘基地局（BS：Base Station）’は、固定局（fixed station）、Node B、eNB（evolved-NodeB）、BTS（base transceiver system）、アクセスポイント（AP：Access Point）、gNB（general NB）などの用語により取替できる。また、‘端末（Terminal）’は固定されるか、または移動性を有することができ、UE（User Equipment）、MS（Mobile Station）、UT（user terminal）、MSS（Mobile Subscriber Station）、SS（Subscriber Station）、AMS（Advanced Mobile Station）、WT（Wireless terminal）、MTC（Machine-Type Communication）装置、M2M（Machine-to-Machine）装置、D2D（Device-to-Device）装置などの用語に取替できる。
【００２６】
以下、ダウンリンク（DL：downlink）は基地局から端末への通信を意味し、アップリンク（UL：uplink）は端末から基地局への通信を意味する。ダウンリンクで、送信機は基地局の一部であり、受信機は端末の一部でありうる。アップリンクで、送信機は端末の一部であり、受信機は基地局の一部でありうる。
以下の説明で使われる特定用語は本発明の理解を助けるために提供されたものであり、このような特定用語の使用は本発明の技術的思想を逸脱しない範囲で異なる形態に変更できる。
【００２７】
以下の技術は、CDMA（code division multiple access）、FDMA（frequency division multiple access）、TDMA（time division multiple access）、OFDMA（orthogonal frequency division multiple access）、SC-FDMA（single carrier frequency division multiple access）、NOMA（non-orthogonal multiple access）などの多様な無線接続システムに利用できる。CDMAは、UTRA（universal terrestrial radio access）やCDMA２０００のような無線技術（radio technology）で具現できる。TDMAは、GSM（global system for mobile communications）／GPRS（general packet radio service）／EDGE（enhanced data rates for GSM evolution）のような無線技術で具現できる。OFDMAは、IEEE ８０２．１１（WiFi）、IEEE ８０２．１６（WiMAX）、IEEE ８０２-２０、E-UTRA（evolved UTRA）などの無線技術で具現できる。UTRAは、UMTS（universal mobile telecommunications system）の一部である。３GPP（3rd generation partnership project）LTE（longterm evolution）は、E-UTRAを使用するE-UMTS（evolved UMTS）の一部であって、ダウンリンクでOFDMAを採用し、アップリンクでSC-FDMAを採用する。LTE-A（advanced）は３GPP LTEの進化である。
【００２８】
本発明の実施形態は無線接続システムであるIEEE ８０２、３GPP、及び３GPP２のうち、少なくとも１つに開示された標準文書により裏付けられる。即ち、本発明の実施形態のうち、本発明の技術的思想を明確に示すために説明しないステップまたは部分は前記文書により裏付けられる。また、本文書で開示している全ての用語は前記標準文書により説明できる。
【００２９】
説明を明確にするために、３GPP LTE／LTE-Aを中心として技術するが、本発明の技術的特徴がこれに制限されるものではない。
【００３０】
用語の定義
【００３１】
eLTE eNB：eLTE eNBは、EPC（Evolved Packet Core）及びNGC（Next Generation Core）に対する連結を支援するeNBの進化（evolution）である。
【００３２】
gNB：NGCとの連結だけでなく、NRを支援するノード。
【００３３】
新たなRAN：NRまたはE-UTRAを支援するか、またはNGCと相互作用する無線アクセスネットワーク。
【００３４】
ネットワークスライス（network slice）：ネットワークスライスは、終端間の範囲と共に特定要求事項を要求する特定市場シナリオに対して最適化されたソリューションを提供するようにoperatorにより定義されたネットワーク。
【００３５】
ネットワーク機能（network function）：ネットワーク機能は、よく定義された外部インターフェースとよく定義された機能的動作を有するネットワークインフラ内での論理的ノード。
【００３６】
NG-C：新たなRANとNGCとの間のNG２レファレンスポイント（reference point）に使われる制御平面インターフェース。
【００３７】
NG-U：新たなRANとNGCとの間のNG３レファレンスポイント（reference point）に使われるユーザ平面インターフェース。
【００３８】
非独立型（Non-standalone）NR：gNBがLTE eNBをEPCに制御プレーン連結のためのアンカーとして要求するか、またはeLTE eNBをNGCに制御プレーン連結のためのアンカーとして要求する配置構成。
【００３９】
非独立型E-UTRA：eLTE eNBがNGCに制御プレーン連結のためのアンカーとしてgNBを要求する配置構成。
【００４０】
ユーザ平面ゲートウェイ：NG-Uインターフェースの終端点。
【００４１】
システム一般
【００４２】
図１は、本明細書で提案する方法が適用できるNRの全体的なシステム構造の一例を示した図である。
【００４３】
図１を参照すると、NG-RANはNG-RAユーザ平面（新たなAS sublayer／PDCP／RLC／MAC／PHY）及びUE（User Equipment）に対する制御平面（RRC）プロトコル終端を提供するgNBで構成される。
【００４４】
前記gNBは、Xnインターフェースを通じて相互連結される。
また、前記gNBは、NGインターフェースを通じてNGCに連結される。
【００４５】
より具体的には、前記gNBはN２インターフェースを通じてAMF（Access and Mobility Management Function）に、N３インターフェースを通じてUPF（User Plane Function）に連結される。
NRヌメロロジー（Numerology）及びフレーム（frame）構造
【００４６】
NRシステムでは、多数のヌメロロジー（numerology）が支援できる。ここで、ヌメロロジーはサブキャリア間隔（subcarrier spacing）とCP（Cyclic Prefix）オーバーヘッドにより定義できる。この際、多数のサブキャリア間隔は基本サブキャリア間隔を整数N（または、μ）にスケーリング（scaling）することにより誘導できる。また、非常に高い搬送波周波数で非常に低いサブキャリア間隔を利用しないと仮定されても、用いられるヌメロロジーは周波数帯域と独立的に選択できる。
【００４７】
また、NRシステムでは多数のヌメロロジーに従う多様なフレーム構造が支援できる。
【００４８】
以下、NRシステムで考慮できるOFDM（Orthogonal Frequency Division Multiplexing）ヌメロロジー及びフレーム構造を説明する。
【００４９】
NRシステムで支援される多数のOFDMヌメロロジーは、表１のように定義できる。
【００５０】
【表１】
0006961712.tif 000002
NRシステムにおけるフレーム構造（frame structure）と関連して、時間領域の多様なフィールドのサイズは
0006961712.tif 000003
の時間単位の倍数として表現される。
【００５１】
ここで、
0006961712.tif 000004
であり、
0006961712.tif 000005
である。ダウンリンク（downlink）及びアップリンク（uplink）転送は
0006961712.tif 000006
の区間を有する無線フレーム（radio frame）で構成される。ここで、無線フレームは各々
0006961712.tif 000007
の区間を有する１０個のサブフレーム（subframe）で構成される。
【００５２】
この場合、アップリンクに対する１セットのフレーム及びダウンリンクに対する１セットのフレームが存在することができる。
【００５３】
図２は、本明細書で提案する方法が適用できる無線通信システムにおけるアップリンクフレームとダウンリンクフレームとの間の関係を示す。
【００５４】
図２に示すように、端末（User Equipment、UE）からのアップリンクフレーム番号iの転送は、
【００５５】
該当端末での該当ダウンリンクフレームの開始より
0006961712.tif 000008
以前に始めなければならない。
【００５６】
ヌメロロジーμに対して、スロット（slot）はサブフレーム内で
0006961712.tif 000009
の増加する順に番号が付けられて、無線フレーム内で
0006961712.tif 000010
の増加する順に番号が付けられる。１つのスロットは
0006961712.tif 000011
の連続するOFDMシンボルで構成され、
0006961712.tif 000012
は用いられるヌメロロジー及びスロット設定（slot configuration）によって決定される。サブフレームでスロット
0006961712.tif 000013
の開始は同一サブフレームでOFDMシンボル
0006961712.tif 000014
の開始と時間的に整列される。
【００５７】
全ての端末が同時に送信及び受信できるものではなく、これはダウンリンクスロット（downlink slot）またはアップリンクスロット（uplink slot）の全てのOFDMシンボルが利用できないことを意味する。
【００５８】
表２はヌメロロジーμでの一般（normal）CPに対するスロット当たりOFDMシンボルの数を示し、表３はヌメロロジーμでの拡張（extended）CPに対するスロット当たりOFDMシンボルの数を示す。
【００５９】
【表２】
0006961712.tif 000015
【００６０】
【表３】
0006961712.tif 000016
【００６１】
NR物理資源（NR Physical Resource）
【００６２】
NRシステムにおける物理資源（physical resource）と関連して、アンテナポート（antenna port）、資源グリッド（resource grid）、資源要素（resource element）、資源ブロック（resource block）、キャリアパート（carrier part）などが考慮できる。
【００６３】
以下、NRシステムで考慮できる前記物理資源に対して具体的に説明する。
【００６４】
まず、アンテナポートと関連して、アンテナポートはアンテナポート上のシンボルが運搬されるチャンネルが同一なアンテナポート上の他のシンボルが運搬されるチャンネルから推論できるように定義される。１つのアンテナポート上のシンボルが運搬されるチャンネルの広範囲特性（large-scale property）が他のアンテナポート上のシンボルが運搬されるチャンネルから類推できる場合、２つのアンテナポートはQC／QCL（quasi co-locatedまたはquasi co-location）関係にいるということができる。ここで、前記広範囲特性は遅延拡散（Delay spread）、ドップラー拡散（Doppler spread）、周波数シフト（Frequency shift）、平均受信パワー（Average received power）、受信タイミング（Received Timing）のうち、１つ以上を含む。
【００６５】
図３は、本明細書で提案する方法が適用できる無線通信システムで支援する資源グリッド（resource grid）の一例を示す。
【００６６】
図３を参考すると、資源グリッドが周波数領域上に
0006961712.tif 000017
サブキャリアで構成され、１つのサブフレームが１４・２μOFDMシンボルで構成されることを例示的に記述するが、これに限定されるものではない。
【００６７】
NRシステムにおいて、転送される信号（transmitted signal）は
0006961712.tif 000018
サブキャリアで構成される１つまたはその以上の資源グリッド及び
0006961712.tif 000019
のOFDMシンボルにより説明される。
【００６８】
ここで、
0006961712.tif 000020
である。前記
0006961712.tif 000021
は最大転送帯域幅を示し、これは、ヌメロロジーだけでなく、アップリンクとダウンリンクとの間にも変わることができる。
【００６９】
この場合、図３のように、ヌメロロジーμ及びアンテナポートｐ別に１つの資源グリッドが設定できる。
【００７０】
ヌメロロジーμ及びアンテナポートｐに対する資源グリッドの各要素は資源要素（resource element）と称され、インデックス対
0006961712.tif 000022
により固有的に識別される。ここで、
0006961712.tif 000023
は周波数領域上のインデックスであり、
0006961712.tif 000024
はサブフレーム内でシンボルの位置を称する。
【００７１】
スロットで資源要素を称する時には、インデックス対
0006961712.tif 000025
が用いられる。
【００７２】
ここで、
0006961712.tif 000026
である。ヌメロロジーμ及びアンテナポートｐに対する資源要素
0006961712.tif 000027
は複素値（complex value）
0006961712.tif 000028
に該当する。混同（confusion）する危険がない場合、または特定アンテナポートまたはヌメロロジーが特定されない場合には、インデックスｐ及びμはドロップ（drop）されることができ、その結果、複素値は
0006961712.tif 000029
または
0006961712.tif 000030
になることができる。また、物理資源ブロック（physical resource block）は周波数領域上の
0006961712.tif 000031
連続的なサブキャリアとして定義される。周波数領域上で、物理資源ブロックは０から
0006961712.tif 000032
まで番号が付けられる。この際、周波数領域上の物理資源ブロック番号（physical resource block number）
0006961712.tif 000033
と資源要素
0006961712.tif 000034
との間の関係は、数式１のように与えられる。
【００７３】
【数１】
0006961712.tif 000035
【００７４】
また、キャリアパート（carrier part）と関連して、端末は資源グリッドのサブセット（subset）のみを用いて受信または転送するように設定できる。
【００７５】
この際、端末が受信または転送するように設定された資源ブロックの集合（set）は周波数領域上で０から
0006961712.tif 000036
まで番号が付けられる。
【００７６】
自己完備（Self-contained）サブフレーム構造
【００７７】
図４は、本発明が適用できる無線通信システムにおける自己完備（Self-contained）サブフレーム構造を例示する図である。
【００７８】
ＴＤＤシステムにおけるデータ転送レイテンシー（latency）を最小化するために５世帯（５G：5 generation）new RATでは図４のような自己完備（self-contained）サブフレーム構造を考慮している。
【００７９】
図４で斜線を施した領域（シンボルインデックス０）はダウンリンク（DL）制御領域を示し、黒色部分（シンボルインデックス１３）はアップリンク（UL）制御領域を示す。陰影表示のない領域はDLデータ転送のために使われることもでき、またはULデータ転送のために使われることもできる。このような構造の特徴は、１つのサブフレーム内でDL転送とUL転送が順次に進行されて、サブフレーム内でDLデータが転送され、UL ACK／NACKも受信できる。結果的に、データ転送エラー発生時にデータ再転送までかかる時間を減らすようになり、これによって、最終データ伝達のlatencyを最小化することができる。
【００８０】
このようなself-containedサブフレーム構造で、基地局とUEが送信モードから受信モードへの転換過程、または受信モードから送信モードへの転換過程のための時間ギャップ（time gap）が必要である。このためにself-containedサブフレーム構造で、DLからULに転換される時点の一部OFDMシンボルがガード区間（GP：guard period）に設定されるようになる。
【００８１】
アナログビームフォーミング（Analog beamforming）
【００８２】
ミリメートル波（Millimeter Wave、mmW）では波長が短くなって同一面積に多数個のアンテナ要素（antenna element）の設置が可能である。即ち、３０GHz帯域で波長は１cmであって、４X４（４by４）cmのパネル（panel）に０．５ラムダ（lambda）（即ち、波長）間隔で２−次元配列形態に総６４（８x８）のantenna element設置が可能である。したがって、mmWでは多数個のantenna elementを使用してビームフォーミング（BF：beamforming）利得を高めてカバレッジを増加させるか、または歩留り（throughput）を高めようとする。
【００８３】
この場合にantenna element別に転送パワー及び位相調節が可能であるようにトランシーバユニット（TXRU：Transceiver Unit）を有すれば、周波数資源別に独立的なビームフォーミングが可能である。しかしながら、１００余個のantenna element全てにTXRUを設置するには価格面で実効性が落ちる問題を有するようになる。したがって、１つのTXRUに多数個のantenna elementをマッピングし、アナログ位相シフター（analog phase shifter）でビーム（beam）の方向を調節する方式が考慮されている。このようなanalog BF方式は全帯域で１つのbeam方向のみを作ることができるので、周波数選択的BFを行うことができないという短所がある。
【００８４】
デジタル（Digital）BFとanalog BFの中間形態に、Q個のantenna elementより少ない個数であるB個のTXRUを有するハイブリッドビームフォーミング（hybrid BF）を考慮することができる。この場合にB個のTXRUとQ個のantenna elementの連結方式によって差はあるが、同時に転送することができるbeamの方向はB個以下に制限される。
【００８５】
以下、図面を参照してTXRUとantenna elementの連結方式の代表的な一例を説明する。
【００８６】
図５は、本発明が適用できる無線通信システムにおけるトランシーバユニットモデルを例示する。
【００８７】
TXRU仮想化（virtualization）モデルはTXRUの出力信号とantenna elementsの出力信号との関係を示す。antenna elementとTXRUとの相関関係によって図５（ａ）のようにTXRU仮想化（virtualization）モデルオプション−１：サブ−配列分割モデル（sub-array partition model）と、図５（b）のようにTXRU仮想化モデルオプション−２：全域連結（full-connection）モデルとに区分できる。
【００８８】
図５（ａ）を参照すると、サブ−配列分割モデル（sub-array partition model）の場合、antenna elementは多重のアンテナ要素グループに分割され、各TXRUはグループのうちの１つと連結される。この場合にantenna elementは１つのTXRUのみに連結される。
【００８９】
図５（b）を参照すると、全域連結（full-connection）モデルの場合、多重のTXRUの信号が結合されて単一のアンテナ要素（または、アンテナ要素の配列）に伝達される。即ち、TXRUが全てのアンテナelementに連結された方式を示す。この場合に、アンテナelementは全てのTXRUに連結される。
【００９０】
図５で、ｑは１つの列（column）内のM個の同一な偏波（co-polarized）を有するアンテナ要素の送信信号ベクトルである。wは広域TXRU仮想化加重値ベクトル（wideband TXRU virtualization weight vector）であり、Wはアナログ位相シフター（analog phase shifter）により掛けられる位相ベクトルを示す。即ち、Wによりanalog beamformingの方向が決定される。xは、M_TXRU個のTXRUの信号ベクトルである。
【００９１】
ここで、アンテナポートとTXRUとのマッピングは、一対一（1-to-1）または一対多（1-to-many）でありうる。
【００９２】
図５で、TXRUとアンテナ要素との間のマッピング（TXRU-to-element mapping）は１つの例示を示すものであり、本発明はこれに限定されるものではなく、ハードウェア観点で、その他の多様な形態に具現できるTXRUとアンテナ要素との間のマッピングにも本発明が同一に適用できる。
【００９３】
また、New RATシステムでは多数のアンテナが使われる場合、デジタルビームフォーミングとアナログビームフォーミングを結合したハイブリッドビームフォーミング技法が台頭している。この際、アナログビームフォーミング（または、RF（radiofrequency）ビームフォーミング）は、RF端でプリコーディング（または、コンバイニング）を遂行する動作を意味する。ハイブリッドビームフォーミングでベースバンド（Baseband）端とRF端は各々プリコーディング（または、コンバイニング）を遂行し、これによってRFチェーン数とD（digital）／A（analog）（または、A/D）コンバータ数を減らしながらもデジタルビームフォーミングに近接した性能を出すことができるという長所がある。便宜上、ハイブリッドビームフォーミング構造はN個のトランシーバユニット（TXRU）とM個の物理的アンテナで表現できる。すると、送信端で転送するL個のデータ階層に対するデジタルビームフォーミングはN by L行列で表現されることができ、以後、変換されたN個のデジタル信号はTXRUを経てアナログ信号に変換された後、M by N行列で表現されるアナログビームフォーミングが適用される。
【００９４】
図６は、本発明が適用できる無線通信システムで、TXRU及び物理的アンテナ観点でハイブリッドビームフォーミング構造を図式化した図である。
【００９５】
図６で、デジタルビームの個数はL個であり、アナログビームの個数はN個である場合を例示する。
【００９６】
New RATシステムでは基地局がアナログビームフォーミングをシンボル単位に変更することができるように設計して、特定地域に位置した端末に一層効率よいビームフォーミングを支援する方向が考慮されている。延いては、図６で特定N個のTXRUとM個のRFアンテナを１つのアンテナパネル（panel）として定義する時、New RATシステムでは互いに独立的なハイブリッドビームフォーミングの適用が可能な複数のアンテナパネルを導入する方案まで考慮されている。
【００９７】
チャンネル状態情報（CSI：Channel state information）フィードバック
【００９８】
３GPP LTE/LTE-Aシステムでは、ユーザ機器（UE）がチャンネル状態情報（CSI）を基地局（BSまたはeNB）に報告するように定義された。
【００９９】
CSIはUEとアンテナポートとの間に形成される無線チャンネル（または、リンクともいう）の品質を示すことができる情報を通称する。例えば、ランク指示子（RI：Rank Indicator）、プリコーディング行列指示子（PMI：Precoding Matrix Indicator）、チャンネル品質指示子（CQI：Channel Quality Indicator）などがこれに該当する。
【０１００】
ここで、RIはチャンネルのランク（rank）情報を示し、これはUEが同一時間−周波数資源を通じて受信するストリームの個数を意味する。この値はチャンネルの長い周期（long term）フェーディング（fading）により従属して決定されるので、PMI、CQIより一般的にさらに長い周期を有し、UEからBSにフィードバックされる。PMIはチャンネル空間特性を反映した値であって、信号対干渉雑音比（SINR：Signal-to-Interference-plus-Noise Ratio）などのメトリック（metric）を基準にUEが好むプリコーディングインデックスを示す。CQIはチャンネルの強さを示す値であって、一般的にBSがPMIを用いた時に得ることができる受信SINRを意味する。
【０１０１】
３GPP LTE/LTE-Aシステムで、基地局は多数個のCSIプロセス（process）をUEに設定してくれて、各プロセスに対するCSIの報告を受けることができる。ここで、CSIプロセスは基地局からの信号品質測定のためのCSI-RSと干渉測定のためのCSI-干渉測定（CSI-IM：CSI-Interference Measurement）資源で構成される。
【０１０２】
参照信号（RS：Reference Signal）仮想化（virtualization）
【０１０３】
mmWでanalog beamformingにより１つの時点に１つのanalog beam方向のみにPDSCH転送できる。この場合、該当方向にある一部の少数のUEのみに基地局からデータ転送が可能になる。したがって、必要によって、アンテナポート別にanalog beam方向を異に設定することによって、多数のanalog beam方向にある多数のUEに同時にデータ転送が遂行できる。
【０１０４】
図７は、本発明が適用できる無線通信システムで、トランシーバユニット別サービス領域を例示する図である。
【０１０５】
図７では、２５６ antenna elementを４等分して４個のsub-arrayを形成し、先の図５のようにsub-arrayにTXRUを連結した構造を例として説明する。
【０１０６】
各sub-arrayが２−次元（dimension）配列形態に総６４（８ｘ８）のantenna elementが構成されれば、特定analog beamformingにより１５度の水平角領域と１５度の垂直角領域に該当する地域をカバーすることができる。即ち、基地局がサービスしなければならない地域を多数個の領域に分けて、１回に１つずつサービスするようになる。
【０１０７】
以下の説明で、CSI-RSアンテナポート（antenna port）とTXRUは一対一（１-to-１）マッピングされたと仮定する。したがって、antenna portとTXRUは以下の説明で同じ意味を有する。
【０１０８】
図７（a）のように、全てのTXRU（アンテナポート、sub-array）（即ち、TXRU０、１、２、３）が同一analog beamforming方向（即ち、領域１（region１））を有すれば、より高い分解能（resolution）を有するdigital beamを形成して該当地域の収率（throughput）を増加させることができる。また、該当地域に転送データのランク（rank）を増加させて該当地域のthroughputを増加させることができる。
【０１０９】
図７（b）及び図７（c）のように、各TXRU（アンテナポート、sub-array）（即ち、ポート（port）０、１、２、３）が異なるanalog beamforming方向（即ち、region１またはregion２）を有すれば、より広い領域に分布したUEに該当サブフレーム（SF：subframe）で同時にデータ転送が可能になる。
【０１１０】
図７（b）及び図７（c）の例示のように、４個のアンテナポートのうちの２つは領域１にあるUE１にPDSCH転送のために使われて、残りの２つは領域２にあるUE２にPDSCH転送のために使われることができる。
【０１１１】
特に、図７（b）ではUE１に転送されるPDSCH１とUE２に転送されるPDSCH２が空間分割多重化（SDM：Spatial Division Multiplexing）された例示を示す。これとは異なり、図７（c）のようにUE１に転送されるPDSCH１とUE２に転送されるPDSCH２が周波数分割多重化（FDM：Frequency Division Multiplexing）されて転送されることもできる。
【０１１２】
全てのアンテナポートを使用して１つの領域をサービスする方式とアンテナポートを分けて多数の領域を同時にサービスする方式のうち、セル収率（cell throughput）を最大化するためにUEにサービスするランク（rank）、そして変調及びコーディング技法（MCS：Modulation and Coding Scheme）に従って好まれる方式が変わることができる。また、各UEに転送するデータの量によって好まれる方式が変わることができる。
【０１１３】
基地局は全てのアンテナポートを使用して１つの領域をサービスする時に得ることができるcell throughputまたはスケジューリングメトリック（scheduling metric）を計算し、アンテナポートを分けて２つの領域をサービスする時に得ることができるcell throughputまたはscheduling metricを計算する。基地局は、各方式を通じて得ることができるcell throughputまたはscheduling metricを比較して最終転送方式を選択することができる。結果的に、サブフレーム単位で（SF-by-SF）にPDSCH転送に参加するアンテナポートの個数が変動できる。基地局がアンテナポートの個数に従うPDSCHの転送MCSを計算し、スケジューリングアルゴリズムに反映するために、これに適合したUEからのCSIフィードバックが要求される。
【０１１４】
以下、本明細書において提案する部分的に（partially）ドロップ（drop）されるＲＳ（Reference Signal）に基づいたＣＳＩ（Channel State Information）を報告規則（reporting rule）について注意深く見る。
【０１１５】
まず、後述する内容に対する議論の必要性は、以下の通りである。
【０１１６】
ＮＲ（New Radio）システムにおいてＣＳＩ−ＲＳは、ＬＴＥシステムに比べ、一部の帯域でのみflexibleに設定されるようにしている。
【０１１７】
アナログビームを介して複数のＣＳＩ−ＲＳを伝送する場合、端末は、複数のビームを介して伝送されるＣＳＩ−ＲＳを受信することができるＲＸ chainをそれに合うように実現しなければならない。
【０１１８】
しかし、１つのＲＸ chainを有する端末の場合、当該端末は、互いに異なるビーム方向に伝送される複数のＣＳＩ−ＲＳを受信することができない問題が発生することができる。
【０１１９】
したがって、以下においては、このような問題などを解決するための方法に対して説明される。
【０１２０】
まず、ＣＳＩ−ＲＳを伝送することができるシンボル（symbol）が、他のＲＳ（Reference Signal）またはチャネル（channel）と（周波数領域で）マルチプレクサ（ＭＵＸ）（またはmultiplexing）され、設定することができるかどうかに関連して、様々なオプションが以下のように考慮することができる。
【０１２１】
つまり、ＣＳＩ−ＲＳ ＯＦＤＭシンボルの位置と関連して、様々なオプションが考慮されることができる。
【０１２２】
ここで、前記他のＲＳ（Reference  Signal）またはチャネル（channel）は、例えば、ＳＳ（Synchronization Signal）block（ＳＳＢ）、制御チャネル（control channel）、ＤＭＲＳ（Demodulation Reference Signal）等で有り得る。
【０１２３】
本明細書において記載される「Ａ及び／またはＢ」は「ＡまたはＢの内、少なくとも一つを含む」と同じ意味で解釈されることができる。
【０１２４】
また、本明細書において使用される「定義」または「設定」または「指示」または「構成」は、同じ意味で解釈されることができる。
【０１２５】
また、本明細書において使用される「実行」または「適用」は、同じ意味で解釈されることができる。
【０１２６】
また、本明細書において使用される「認知」または「仮定」は、同じ意味で解釈されることができる。
【０１２７】
ＣＳＩ−ＲＳ ＯＦＤＭシンボルの位置（ＣＳＩ−ＲＳ OFDM symbol location）に関連する様々なオプション
【０１２８】
まず、オプション１は、次の２種類のオプションを含むことができる。
【０１２９】
オプション１−１（Option １−１）は、端末（例えば、ＵＥ）の観点から、ＣＳＩ−ＲＳは、ＳＳ block（ＳＳＢ）ＯＦＤＭシンボルに多重化されない。
【０１３０】
オプション１−２（Option １−２）は、ＵＥの観点から、ＣＳＩ−ＲＳは、ＳＳ block（ＳＳＢ）のシンボルに多重化されることができる。
【０１３１】
次、オプション２は次の２種類のオプションを含むことができる。
【０１３２】
オプション２−１（Option ２−１）は、ＵＥの観点から、ＣＳＩ−ＲＳは、一般のスロット（normal slot）に対するＰＤＣＣＨ ＯＦＤＭシンボルで多重化されない。
【０１３３】
オプション２−２（Option ２−２）は、ＵＥの観点から、ＣＳＩ−ＲＳは、一般のスロット（normal slot）に対するＰＤＣＣＨ ＯＦＤＭシンボルで多重化されることができる。
【０１３４】
参考として、ＵＥ側からのＰＤＣＣＨ復号（decoding）動作は、前記オプション２−２によって変更されない。
【０１３５】
次、オプショ３は、次の２種類のオプションを含むことができる。
【０１３６】
オプショ３−１（Option ３−１）は、ＵＥの観点から、ＣＳＩ−ＲＳは、少なくとも７個／ １４個のＯＦＤＭシンボルを有するスロットのすべての潜在的（potential）ＤＭＲＳ  ＯＦＤＭシンボルに多重化されない。
【０１３７】
オプショ３−２（Option ３−２）は、ＵＥの観点から、スケジュールされたＰＤＳＣＨを有するスロットで、追加の（additional）ＤＭＲＳがＯＦＤＭシンボルに存在しないとき、ＣＳＩ−ＲＳは、潜在的なadditional ＤＭＲＳ ＯＦＤＭシンボルに伝送されることができる。
【０１３８】
参考に、オプショ３−２で、ＣＳＩ−ＲＳは、潜在的なfront-loaded ＤＭＲＳ ＯＦＤＭシンボルで多重化されない。
【０１３９】
オプショ３−３（Option ３−３）は、ＵＥの観点から、ＣＳＩ−ＲＳは、すべての潜在的なＤＭＲＳ ＯＦＤＭシンボルで多重化されることができる。
【０１４０】
もし、特定の同じtime instance（例えば、一つのＯＦＤＭ symbol）に、特定のＲＳと前記他のＲＳまたはchannel（ＳＳ block、control channel、ＤＭＲＳなど）の間（周波数領域で）ＭＵＸされて設定されることを許容する場合、（例えば、先に注意深く見たOption １−２、２−２、３−２と３−３の場合）、ＣＳＩ−ＲＳをベースにした、特定のＣＳＩ reporting時に問題が発生することができる。
【０１４１】
前記特定のＲＳは一例で、少なくともチャネル推定（channel estimation）のために使用されるＣＳＩ−ＲＳで有り得る。
【０１４２】
前記特定のＣＳＩ reportingは一例で、サブバンドＣＳＩ報告（sub-band CSI reporting）で有り得る。
【０１４３】
それでは、前述した特定のＣＳＩ reporting時に問題が発生することができる状況と解決方法について広帯域ＣＳＩ報告とサブバンドＣＳＩ報告を分け、さらに具体的に注意深く見る。
【０１４４】
ブロードバンドＣＳＩ報告（wideband ＣＳＩ reporting）関連
【０１４５】
もし端末が基地局からＣＳＩ−ＲＳの設定（configuration）を受け、前記設定されたＣＳＩ−ＲＳを測定（measure）して、特定のWideband ＣＳＩ reportingを実行するように定義された場合、前記端末は、（周波数領域で）前記特定ＭＵＸが発生する時点でのＣＳＩ−ＲＳ測定（measurement）が前記wideband（たとえば、前の帯域）について、一部の少なくとも一つの狭帯域（例えば、sub-band（s））についてＣＳＩ−ＲＳのＲＥ（s）が穿刺（puncturing）されたり、又は伝送されないかする（dropped）ことを仮定することができる（以下では、穿刺されたりまたはdropされたＣＳＩ−ＲＳ ＲＥ（s）を便宜上「漏れたＣＳＩ−ＲＳ ＲＥ（s）」と呼称する）。
【０１４６】
したがって、注意深く見たように、前記一部少なくとも一つの狭帯域のＣＳＩ measurementが漏れる場合があります。
【０１４７】
この場合、端末は次の２つの動作オプションの内、少なくとも一つを適用して、ブロードバンドＣＳＩ reportingを実行するように定義することができる。
【０１４８】
‐ 前記「漏れたＣＳＩ−ＲＳ ＲＥ（ｓ）の位置を除外して、漏れていない残りのＣＳＩ−ＲＳ ＲＥ（ｓ）に対してＣＳＩを測定（measurement）して（そして、（特定のweighted）averagingするなどの代表値を算出し）代表wideband ＣＳＩを算出し、前記算出されたＣＳＩを基地局に報告することができる。
【０１４９】
前記代表wideband ＣＳＩは、例えば、ＣＲＩ（ＣＳＩ−ＲＳ Resource Indicator）、ＲＩ（Rank Indicator）、ＰＭＩ（Precoding Matrix Indicator）、及び/またはＣＱＩ（Channel Quality Indicator）等で有り得る。
【０１５０】
‐特定の周波数の単位（frequency  granularity）（例えば、subband別）に前記「漏れたＣＳＩＲＳ」が、特定の予め定義された（pre-defined）または予め設定可能なしきい値（pre-configurable threshold ）レベル以上に該当frequency granularity内に漏れた場合、そのfrequency  granularity（eg、subband）は除外し、残り（完全な）帯域のＣＳＩ−ＲＳ ＲＥ（s）に対してＣＳＩをmeasurementして（そして（特定weighted）averagingするなどの代表値を算出して）代表wideband ＣＳＩを算出し、前記算出されたＣＳＩを基地局に報告することができる。
【０１５１】
前記特定の予め定義された（pre-defined）または予め設定可能なしきい値（pre-configurable threshold）レベル以上に該当frequency granularity内に漏れた場合の一例で、（portごとに）Ｘ個ＲＥ（ｓ）以上が漏れた場合で有り得、Ｘは１または１より大きくなることができる。
【０１５２】
‐基地局は、ドロップ（drop）または穿刺（puncturing）に該当するＲＥ/ＲＢ（Resource Block）/ＳＢ（Sub―Band）などの情報を知ることができるので、前記特定のＭＵＸが発生する時点で基地局が周波数領域（frequency domain）ＭＲ（Measurement Restriction）オン（ＯＮ）に指示して当該、ＲＥ/ＲＢ/ＳＢにのみＷＢ（WideBand／ＳＢ ＣＳＩ measurementとＣＳＩ reportingを実行するように制限することができる。
【０１５３】
ここで、基地局は、ＣＳＩ−ＲＳがＭＵＸされないか、または特定のthresholdまたは特定の数以上のportが存在するＲＢに対して前記ＭＲ ＯＮを適用することができる。
【０１５４】
サブバンドＣＳＩ報告（Subband ＣＳＩ reporting）関連
【０１５５】
ブロードバンドＣＳＩ報告関連で注意深く見たように、もし端末が基地局からＣＳＩ−ＲＳの設定を受け、前記設定されたＣＳＩ−ＲＳを測定（measure）して、特定Subband ＣＳＩ reportingを実行するように定義された場合、前記端末は、前記特定のＭＵＸが発生する時点のＣＳＩ−ＲＳ measurementが各subbandについてＣＳＩ−ＲＳのRE（s）が穿刺されるか、又は伝送されないか（dropped）することを仮定することができる。
【０１５６】
したがって、各subbandのＣＳＩ measurementが漏れる場合が発生することがある。
【０１５７】
この場合、端末は、次の動作のオプションの内、少なくとも一つを適用して前記ＣＳＩ reportingを実行するように定義することができる。
【０１５８】
各subbandに対し、前記「漏れたＣＳＩ−ＲＳ RE（s）」の位置が存在するsubbandの場合（特定の予め定義された、または予め設定可能なしきい値レベル以上に該当するsubband（またはＳＢ内のＲＢまたはＲＢ ｇｒｏｕｐ）単位内に漏れた 場合（例えば、（portごとに）Ｘ個ＲＥ（ｓ）以上漏れた場合、ｘは１又は１より大きい値）、
【０１５９】
- 前記「漏れたＣＳＩ−ＲＳ ＲＥ（ｓ）」の位置を除外し、残りの漏れないＣＳＩ−ＲＳ ＲＥ（s）に対して測定（measurement）して（そして、（特定weighted）averagingするなど代表値算出して）そのsubband ＣＳＩを算出し、前記算出されたＣＳＩを基地局に報告することができる。
【０１６０】
ここで、subband ＣＳＩは一例として、ＣＲＩ（ＣＳＩ−ＲＳ Resource Indicator）、ＲＩ（Rank Indicator）、ＰＭＩ（Precoding Matrix Indicator）、及び/またはＣＱＩ（Channel Quality Indicator）等で有り得る。
【０１６１】
‐ そのsubbandについては特定の 「out-of-range（OOR）」指示や「invalid ＣＳＩ」などで、そのsubbandはスケジューリングの対象から除外してほしいという要請、及び/または正常なＣＳＩが導出されることが難しいとの意味の特殊（special case ）表示子を含む報告の結果の値が前記基地局に報告されることができる。
【０１６２】
- または、先に注意深く見た「wideband CSI reporting関連」で提案された動作の内、少なくとも一つに基づいて算出された「wideband ＣＳＩ」の値を適用して、そのsubbandのＣＳＩ reportingを実行するように定義することができる。
【０１６３】
その理由は、不正確なsubband ＣＳＩが導出されて基地局に報告されるよりはwideband ＣＳＩ値に置き換えてＣＳＩを報告することで、平均的なＣＳＩを有してスケジューリング対象となるようにする長所がある。
【０１６４】
- または、隣接subband（s）または以前time instanceの（同じ）当該ＲＳからの推定値と共に一種extrapolation（例えば、時間領域及び/または周波数領域）を実行することができる。
【０１６５】
そして、このような動作の許容自体が端末で設定されることもできる。
【０１６６】
または、各subband別にsubband ＣＳＩを算出して報告するとともに、全体のwidebandの代表ＣＳＩも追加報告するように定義することができる。
【０１６７】
このようなwideband ＣＳＩ出力及びＣＳＩ報告に関しては、前述した「wideband ＣＳＩ reporting関連」で提案された動作の内、少なくとも一つに従うように定義することができる。
【０１６８】
そして、前記代表wideband ＣＳＩと対比したsubband差分（delta）ＣＳＩ（例えば、delta ＰＭＩ、delta ＣＱＩ、...）の形で、各subband ＣＳＩ報告値が決定（または報告）されることもできる。
【０１６９】
前記で注意深く見た「subband ＣＳＩ reporting関連」に関する端末の動作は、より大きなfrequency granularity（例えば、「middle band」、「partial band」など）にも同様に適用することができ、このようにfrequency granularityを複数の段階に分割したときに、特定の段階別に差分的なthresholdなどによる異なる動作が定義されることもある。
【０１７０】
または、前記ＭＵＸされて伝送されるＣＳＩ−ＲＳ（eg、aperiodicの場合など）が、前記特定の「漏れたＣＳＩ−ＲＳ ＲＥ（ｓ）」の位置に表示される場合、さらに効果的にsubband構成（またはpartial band構成）、indexingが適用されるようにする、特定の明示的な（explicit）または暗黙的（implicit）の設定（configuration）が定義することができる。
【０１７１】
たとえば、特定のＳＳ block（ＳＳＢ）とＣＳＩ−ＲＳのＭＵＸが発生した場合、そのＳＳ blockが、例えば、２４ＲＢｓにわたって表示される場合、そのＲＢがすべて前記漏れたＣＳＩ−ＲＳ ＲＥ（ｓ）で処理されることができる。
【０１７２】
この場合、先に注意深く見た提案動作の内、少なくとも一つが適用される場合、端末のsubband reportingの動作に効率的ではないことができ、性能劣化が増大することができるようになる。
【０１７３】
したがって、前記２４ＲＢをsubband indexingから除外し、その２４ＲＢを除外した状態での新たなsubband構成／re-indexingが適用されることにより、前記漏れたＣＳＩ−ＲＳ ＲＥ（ｓ）の発生を最小化させ、適切な（subband） reportingが実行されるようにすることができる。
【０１７４】
もし前記２４ＲＢが全体帯域での（相対的な）中央付近に位置する場合、例えば、前記端末に設定さるpartial band構成が従来の動作と異なるように（または独立して）、例えば、前記２４ＲＢsの上部（eg、さらに低い周波数index）に、特定のpartial band（s）が存在（または設定）し、前記２４ＲＢsの下の部分（eg、さらに高い周波数index）に特定のまた他のpartial band（s）が存在（または設定）する形で明示的（explicit）または暗黙的（implicit）の指示が提供されるようにすることができる。
【０１７５】
もしこのような特定のルール（rule）がない場合、partial bandは全体（システム）の帯域で一定間隔に分け存在することができる。
【０１７６】
この場合、前記のように２４ＲＢに対応する帯域が少なくとも一つ以上の特定のpartial band（s）に対して、前記「漏れたＣＳＩ−ＲＳ ＲＥ（ｓ）」の位置を必然的に発生させることができ、システム性能の劣化要因として作用することができるようになる。
【０１７７】
そして、このような場合、wideband ＣＳＩ reportingは省略されるように（基地局が設定しないように）定義することもできる。
【０１７８】
これは、前記特定の２４ＲＢによってＣＳＩ−ＲＳをスキップ（skip）する領域が大きい場合、前記スキップする領域までを含む、特定のwideband ＣＳＩ reportingが意味を有することが困難することがあるからである。
【０１７９】
したがって、この場合、前述したように、前記２４ＲＢsの上部と下部に対してそれぞれの特定の「partial band」単位のreporting（例えば、「partial-band reporting（wideband reportingに代わって）」 ）を（代わりに）実行するように設定することができる。
【０１８０】
たとえば、subband ＣＳＩ reportingは、各partial band内でさらにmultiple subbandsが構成（またはindexing）され、そのsubbandの特定subband ＣＳＩ reportingが実行されるように設定することができる。
【０１８１】
それと、ドロップ（drop）またはパンクチャリング（puncturing：穿刺）に関するＳＢについての情報は、端末が基地局に報告し（reporting）なくても、基地局が予め知ることができるので、基地局は、前記ドロップまたはパンクチャリングに関するＳＢのreportingをしないように、予め約束したり、または追加のsignalingをしてくれることができる。
【０１８２】
したがって、端末は前記のドロップまたはパンクチャリングに関するＳＢのＣＳＩを基地局にreportingしないことによって、overheadを減らすことができる。
【０１８３】
前記動作説明は、基本的にone-shot measurementである場合（e.g. measurement restriction（ＭＲ）‐ＯＮである場合、および/またはaperiodic ＣＳＩ−ＲＳの場合）に適用することができる動作に解釈されることができる。
【０１８４】
ここで、one-shot measurementはaperiodic（ＮＺＰ）ＣＳＩ−ＲＳ resourceのＣＳＩ−ＲＳ measurementを意味することができる。
【０１８５】
もしＭＲ−ＯＦＦで設定されてmultiple time instancesにわたるＣＳＩ measurementsがaveragingすることができる場合、前記動作の内、少なくとも１つが（選択的に）disableことができる。
【０１８６】
これは、特定のＣＳＩ−ＲＳベースの測定（ＣＳＩ−ＲＳ based measurement）ごとに「ＭＲ−ＯＦＦ」などのようにtime-domain averagingができるように設定された場合には、以前の時点の値をそのまま受け入れたり（weighted averaging及び/またはmoving averagingなど）してＣＳＩを基地局に報告するように定義することができる。
【０１８７】
前記特定のＣＳＩ−ＲＳベースの測定（ＣＳＩ−ＲＳ based measurement）区分は、例えば、設定されたＣＳＩ−ＲＳの資源（configured ＣＳＩ−ＲＳ resource）別に、予め資源の設定（pre resource setting）別に、ＣＳＩ process別に、measurement setting （link）別に、及び/またはreporting setting 別に実行することができる。
【０１８８】
「ＭＲ−ＯＮ」などのように、特定の時点（または限られた時間区間のセット（set of restricted time interval））にのみＣＳＩ measurement/reportingを実行するように設定された場合は、前記の提案動作の内、少なくとも一つを適用してＣＳＩ reportingを 実行するように定義することができる。
【０１８９】
または、特定の信号（及び/またはチャネル）間のＭＵＸが発生した場合（当該symbol（s）に対して）受信されるＣＳＩ−ＲＳを介してはsubband reportingが実行されることはないように、特定のrestrictionが設定されることもある。
【０１９０】
つまり、「端末は、前記特定の信号（及び/またはチャネル）間のＭＵＸが発生した場合（そのsymbol（s）に対して）受信されるＣＳＩ−ＲＳを介して特定のsubband reportingを実行するように設定されることを期待しない」とのような形の動作が保障されることができるようにする。
【０１９１】
これは、基地局がこれを保障しなければないことを意味するものと解釈することができる。
【０１９２】
または、「端末は、前記特定の信号（及び/またはチャネル）間のＭＵＸが発生した場合（そのsymbol（s）に対して）受信されるＣＳＩ−ＲＳを介しては、特定のwideband reporting形態の動作のみを実行するように設定することができる」は、形の特定のrestrictionが定義されることができる。
【０１９３】
前に注意深く見た提案動作の内、少なくとも１つを含みからさらに具体化されたＣＳＩ−ＲＳ報告の追加動作などについて以下で注意深く見る。
【０１９４】
つまり、後述する説明は、ＣＳＩ−ＲＳ ＯＦＤＭシンボルの位置（symbol location）に関連する端末のＣＳＩ−ＲＳ報告の追加動作のものである。
【０１９５】
次の２つのオプションの中からダウン-選択（down-select）することができる。
【０１９６】
オプション１−１（Option １−１）は、ＵＥの観点から、ＣＳＩ−ＲＳは、ＳＳ block ＯＦＤＭ symbol（s）で多重化されない。
【０１９７】
ＵＥがＲＭＳＩ（remaining minimum system information）などbroadcast情報を介しして、特定のＴＲＰ（Transmission Reception Point）のすべてのＳＳ blockの位置を把握した後、各潜在的なＳＳ block位置と一つでも重なるＣＳＩ−ＲＳの設定が提供されることにについてＵＥは期待しないことがある。
【０１９８】
もし前記ＣＳＩ−ＲＳの設定が提供される場合、端末は、当該ＣＳＩ−ＲＳ設定は間違っているものとして無視することができる。
【０１９９】
または、前記端末は、これを基地局にしらせしＣＳＩ−ＲＳの再設定を要請することができる。
【０２００】
オプション１−２（Option １−２）は、ＵＥの観点から、ＣＳＩ−ＲＳは、ＳＳ block symbol（s）で多重化されることができる。
【０２０１】
前記提案したオプション（オプション１−１、オプション１−２）の内、少なくとも一つを従うようにし、このとき対象となるSS blockを一部の 「ＳＳ blockのセット（set of SS blocks）」について前記ＭＵＸ時前記オプションの動作を適用しようとする形で、基地局が追加 「ＳＳ blockの限られたセットの（restricted sets of SS block）」に関する情報を端末に提供することもできる。
【０２０２】
それでは、当該端末は、前記提供されたSS blockにのみ、前記ＭＵＸ時「漏れたＣＳＩ−ＲＳ ＲＥ（ｓ）」の位置が発生するかどうかを判断する条件に反映することができる。
【０２０３】
これを通じて、「空間分離（spatial separation）」などを通じた追加の資源の活用が可能であるという長所がある。
【０２０４】
これはＲＸ chainを（例えば、２個から１個に）減らすことができる意味で解釈されることができる。
【０２０５】
次、２つのオプションの中からダウン - 選択（down-select）することができる。
【０２０６】
オプション２−１（Option ２−１）は、ＵＥの観点から、ＣＳＩ−ＲＳは、一般的なスロット（normal slot）に対するＰＤＣＣＨ ＯＦＤＭ symbol（s）上で多重化されない。
【０２０７】
これは、端末が監視（monitoring）するＣＯＲＥＳＥＴ（control resource set）などＰＤＣＣＨ領域にのみＭＵＸされない状態で、前記端末にＣＳＩ−ＲＳに関連する設定（configuration）が提供されることができる。
【０２０８】
オプション２−２（Option ２−２）は、ＵＥの観点から、ＣＳＩ−ＲＳは、normalスロットに対するＰＤＣＣＨ ＯＦＤＭ symbol（s）上で多重化されることができる。
【０２０９】
ちなみに、端末のＰＤＣＣＨ復号行動（behavior）は、オプション２−２（Option ２−２）によって変更されない。
【０２１０】
端末が、前記提案のオプション（option ２−１、option ２−２）の内、少なくとも一つを従うようにする。
【０２１１】
このとき、対象となるＣＯＲＥＳＥＴ（s）及び／またはＰＤＣＣＨ symbol（s）の一部の「ＣＯＲＥＳＥＴ（s）及び/またはＰＤＣＣＨ symbol（s）のセット」について先に注意深く見たＭＵＸ時の動作を適用することを指示する形で、基地局は、「ＣＯＲＥＳＥＴ（s）および／またはＰＤＣＣＨ symbolsの限られたセット」に関する情報を端末にさらに提供することもできる。
【０２１２】
それでは、前記端末は、基地局によって提供される情報にのみ前記ＭＵＸ時「漏れたＣＳＩ−ＲＳ ＲＥ（ｓ）」が発生するかどうかを判断することができる。
【０２１３】
これにより、「空間分離（spatial separation）」などを通じた追加の資源を活用ができることがあるという長所がある。
【０２１４】
次の２つのオプションの中からダウン - 選択（down-select）することができる。
【０２１５】
オプショ３−１（Option ３−１）は、ＵＥの観点から、ＣＳＩ−ＲＳは、少なくとも７つまたは１４個ＯＦＤＭ symbolを有するスロットのすべての潜在的なＤＭＲＳ ＯＦＤＭ symbolにおいて多重化されない。
【０２１６】
端末がスケジューリングを受けるＤＭＲＳ symbolsにのみＭＵＸされない条件で、当該端末にＣＳＩ−ＲＳに関連する設定が提供されることもある。
【０２１７】
オプショ３−２（Option ３−２）は、ＵＥの観点から、スケジュールされたＰＤＳＣＨを有するスロットでＣＳＩ−ＲＳがadditional ＤＭＲＳのＯＦＤＭシンボルにおいて存在しないとき、潜在的なadditional ＤＭＲＳ ＯＦＤＭ symbol（s）は、伝送されることができる。
【０２１８】
参考として、オプショ３−２（Option ３−２）において、ＣＳＩ−ＲＳは、潜在的なfront-loaded ＤＭＲＳ ＯＦＤＭ symbol（s）で多重化されない。
【０２１９】
このような動作は、特定のタイプのＣＳＩ−ＲＳにのみ適用されることができる。
【０２２０】
たとえば、その動作は、非周期的（aperiodic）、半-継続的（semi-persistent）及び/または周期的（periodic）ＣＳＩ−ＲＳに限定されることができる。
【０２２１】
オプショ３−３（Option ３−３）は、ＵＥの観点から、ＣＳＩ−ＲＳは、すべての潜在的なＤＭＲＳ ＯＦＤＭ symbol（s）で多重化されることができる。
【０２２２】
ここで、他の端末に割り当てられるＤＭＲＳは、前記の対象にならないようにする。
【０２２３】
または、特定の端末に割り当てられるＤＭＲＳ設定に関する情報を提供するとともに、前記特定の他の端末のためのＤＭＲＳの位置にたいしても、この設定に基づいて、前記少なくとも一つの動作が適用されるもので設定することもできる。
【０２２４】
前記動作の内、少なくとも一つは、特定のタイプのＣＳＩ−ＲＳにのみ適用されるように限定されることができる。
【０２２５】
ここで、前記特定のタイプのＣＳＩ−ＲＳは、例えば、ＣＳＩ acquisitionのためのＣＳＩ−ＲＳ、ビーム管理（beam management）のためのＣＳＩ−ＲＳ、及び/または（ＲＲＭ Radio Resource Management）のためのＣＳＩ−ＲＳなどで有り得る。
【０２２６】
例えば、aperiodic、semi-persistent、及び/またはperiodic ＣＳＩ−ＲＳの一部にのみ、前記動作が制限的に適用されるように、前記条件の各項目について、異なる（または独立した）動作が定義されることができる。
【０２２７】
例えば、前記ＭＵＸが発生できるように許容するＣＳＩ−ＲＳは、ＢＭ用ＣＳＩ−ＲＳ resource（s）のみに制限されることができる。
【０２２８】
これは、ＢＭ用ＣＳＩ−ＲＳは、一般的にsubband reportingと関連付けされず、wideband ＢＭ-related reportingのみに限定することができるからである。
【０２２９】
例えば、端末が基地局から複数のＣＳＩ−ＲＳ resourceの設定を受ける場合、ＢＭのためのＣＳＩ−ＲＳ resourcesは前記のように、特定のＳＳ block、CORESET、及び/またはＤＭＲＳと（周波数ドメインで）ＭＵＸが可能な形で設定を受けることができる。
【０２３０】
しかし、ＣＳＩ acquisitionのためのＣＳＩ−ＲＳ resources（ＭＩＭＯ feedback）は、特定のＳＳ block、ＣＯＲＥＳＥＴ及び／またはＤＭＲＳと（周波数ドメインで）ＭＵＸされて設定されることを許可しないことがある。
【０２３１】
この場合、端末は前記ＭＵＸされて設定されることを期待しなく、好ましくは、基地局は、前記のような設定を提供しない。
【０２３２】
前の説明は一例として、本明細書においては、前記少なくとも一つの特定のタイプのＣＳＩ−ＲＳ resource（s）（例えば、「ＣＳＩ−ＲＳ for ＣＳＩ acquisition、ＣＳＩ−ＲＳ for beam management（ＢＭ）、またはＣＳＩ− ＲＳ for ＲＲＭの少なくとも一つのタイプ」及び/または「aperiodic、semi-persistent、及び/またはperiodic ＣＳＩ−ＲＳ」）にのみ、前記ＭＵＸ形で設定することができるようにする特定のrestrictionsが付与されることができる。
【０２３３】
そして/または、前記のように特定信号（またはチャンネル）間ＭＵＸによる伝送設定が発生することができるように、特定のＣＳＩ−ＲＳ resourceが、特定のＮ-port（s）以下である場合にのみ、前記ＭＵＸ形態の設定ができる 。
【０２３４】
このとき、前記特定のＮの値は、予め決めたり、ＲＲＣ、ＭＡＣ ＣＥ（Command Element）及び/またはＤＣＩ signalingによって端末に設定（または指示）することができる。
【０２３５】
または、前記のように特定の信号間のＭＵＸによる伝送設定が発生することができるように、特定のＣＳＩ−ＲＳ resourceに対し設定されるＣＳＩ−ＲＳ density（Ｄ）が１未満の場合、次のような動作の内、少なくとも一つの動作が設定されることができる。
【０２３６】
- 多重（Multiplexing）を許可しない。
【０２３７】
- 衝突が生じるＰＲＢ indexをシフティング（shifting）する。
【０２３８】
たとえば、Ｄ＝１/３、ＰＲＢ＃ｎ ＝ ＣＳＩ−ＲＳ、ＰＲＢ＃（ｎ ＋ １）＝ Ｎｏ ＣＳＩ−ＲＳ、ＰＲＢ＃（ｎ ＋  ２）＝ Ｎｏ ＣＳＩ−ＲＳの構造において、特定のｎに対して＃ｎ、＃ｎ ＋ １で競合が発生し、＃ｎ ＋  ２では、衝突が発生しない場合、当該ＰＲＢ ｓｅｔに限定的にＣＳＩ−ＲＳ伝送位置を＃ｎ ＋  ２にshiftingする。
【０２３９】
このような例示のように、特定の他のパターン（またはルール）の形で、前記衝突が発生する場合の特定のＣＳＩ−ＲＳの伝送位置のshift関連の他の例が存在することができる。
【０２４０】
- 特定のtone（またはsubcarrier）で衝突が発生する場合は、ＲＥ−level comb offsetを調整（またはshift）するようにする特定の動作が設定されることができる。
【０２４１】
-Port（group）でcomb shiftの値が異なる場合、衝突が発生したport（group）につきPRB indexをshiftingする。
【０２４２】
または、特定の信号間のＭＵＸによる伝送設定が発生できるようにする、特定のＣＳＩ−ＲＳ resourceに対し設定されるＣＳＩ−ＲＳ density（Ｄ）> １である場合、次のような動作の内、少なくとも一つの動作が設定されることができる。
【０２４３】
-  Multiplexingを許可しない。
【０２４４】
- 特定のtoneで衝突がされる場合、Ｒｅ-level comb offsetを調整（またはshift）するようにする特定の動作が設定（または指示、または実行）することができる。
【０２４５】
または、衝突となる特定のslotに対して一時的に衝突しない他の値のＤ（e.g.、Ｄ＝２、すでに設定された値より小さいＤの値）を設定する方法も適用可能である。
【０２４６】
または、特定のＳＳ block、ＣＯＲＥＳＥＴ、及び/またはＤＭＲＳと（周波数ドメインで）ＭＵＸが可能な形で干渉測定資源（interference measurement resource、ＩＭＲ）のためのzero-power（ＺＰ）ＣＳＩ−ＲＳ（s）及び/またはＩＭＲのためのnon-zero-power（ＮＺＰ）ＣＳＩ−ＲＳ（s）も前記ＭＵＸ形で設定することができるようにすることができる。
【０２４７】
これは、前記のようなＩＭＲのＺＰまたはＮＺＰ ＣＳＩ−ＲＳ resourceは干渉測定用途なので、前記subband reportingと関連付けられている重要な問題（critical issue）が発生しないことがあるからである。
【０２４８】
もし前記ＩＭＲのＺＰまたはＮＺＰ ＣＳＩ−ＲＳ resourceの設定を有し、特定のsubband reportingのsubband-wiseの干渉を測定し、ＣＳＩに反映するようにする場合、先に提案した少なくとも一つの方法を適用して端末が、前記ＩＭＲも、特定の漏れたＲＥの処理を実行できるように設定することもできる。
【０２４９】
また別の一例として、ＳＳ block（ＳＳＢ）、ＣＯＲＥＳＥＴ及び/またはＤＭＲＳとＣＳＩ−ＲＳとの間の空間（spatial）ＱＣＬ（Quasi Co-Located）の関係について注意深く見る。
【０２５０】
ここで、準同位（quasi co-located）は、以下のように解釈されることができる。
【０２５１】
つまり、１つのアンテナポート上でシンボルが伝送されるチャンネルのlarge-scale特性が他のアンテナポート上でシンボルが伝送されるチャンネルから類推される場合、２つのアンテナポートは、準同位（quasi co-located）にあるという。
【０２５２】
前記large-scale特性は遅延拡散（delay spread）、ドップラー拡散（Doppler spread）、ドップラーシフト（Doppler shift）、平均利得（average gain）及び平均遅延（average delay）の内、いずれか、またはそれ以上を含む。
【０２５３】
特定のＳＳ block、ＣＯＲＥＳＥＴ、及び/またはＤＭＲＳは、それぞれ設定された特定の（analog）ビーム指示（beam  indication）（例えば、ＣＲＩを介して）、または、特定の空間ＱＣＬ指示（spatial QCL indication）によって端末が、前記特定のＳＳ block 、ＣＯＲＥＳＥＴ、及び/またはＤＭＲＳを受信するための特定の受信ビームの設定（Rx beam setting）が適用されることができる。
【０２５４】
ここで、前記特定の受信ビームの設定（Ｒｘ beam setting）は、例えば、Ｒｘ beam direction、spatial Ｒｘ  parameter、spatial domain receive filter、ＱＣＬ relation、spatial ＱＣＬなどで表現されることができる。
【０２５５】
さらに具体的に、前記特定のＳＳＢ、ＣＯＲＥＳＥＴ及び/またはＤＭＲＳとＣＳＩ−ＲＳの間ＱＣＬ関係があるということの意味は、前記特定のＳＳＢ、ＣＯＲＥＳＥＴ及び/またはＤＭＲＳを受信する端末のＲｘビーム方向と、前記ＣＳＩ−ＲＳを受信する端末のＲｘビーム方向が同じであることを意味であるか、または前記特定のＳＳＢ、ＣＯＲＥＳＥＴ及び/またはＤＭＲＳと前記ＣＳＩ−ＲＳの端末が同じであるspatial domain receive filterで受信するという意味で解釈することができる。
【０２５６】
ここで、前記ＣＳＩ−ＲＳは、（time / frequency）tracking用途、channel acquisition用途、beam management（ＢＭ）用途などで使用されることができるが、前記の関係は、ＣＳＩ−ＲＳがbeam managementで使用される場合にのみ制限されることができる。
【０２５７】
ここで、ＣＳＩ−ＲＳがbeam managementに設定されたのは、ＣＳＩ−ＲＳ resource setにhigher layer parameterである「ＣＳＩ−ＲＳ-ResourceRep」がＯｎに設定されている場合、当該ＣＳＩ−ＲＳ resource setはbeam managementで使用されることを意味することができる。
【０２５８】
この場合、（ＢＭ用）ＣＳＩ−ＲＳのantenna portは１つまたは２つで設定されることがある。
【０２５９】
前記ＳＳＢ（ＳＳ Block）とＣＯＲＥＳＥＴは、少なくとも一つの制御信号（または制御チャネル）を含む資源ブロックまたは資源のセットで表現されることができる。
【０２６０】
その理由は、ＳＳＢは、制御信号（例えば、synchronization signal、demodulation signalなど）と制御チャネル（例えば、physical broadcast channel）を含み、前記ＣＯＲＥＳＥＴは制御信号（例えば、demodulation signal）及び制御チャネル（例えば、physical downlink control channel）を含むからである。
【０２６１】
もし先に注意深く見た（周波数領域で）信号（及び/またはチャンネル）間ＭＵＸされて（またはmultiplexed）設定されたＣＳＩ−ＲＳ（beam managementのために）があり、前記特定のＳＳ block、ＣＯＲＥＳＥＴ及び/またはＤＭＲＳを受信するに設定された、特定のspatial ＱＣＬ indicationが、前記ＣＳＩ−ＲＳを受信するための受信ビーム（設定）が異なる場合、端末は、前記ＭＵＸされた信号を同時に受信することができない問題が発生することができる。
【０２６２】
特に、前述のように、端末のＲＸ chainが受信されるＣＳＩ−ＲＳの数より少ない場合に前記のような問題が発生することができる。
【０２６３】
例えば、端末の受信（processing）チェーン（Ｒｘ（processing）chains）（またはＴＸＲＵｓ）が前記ＭＵＸされた信号を同時に受信することができるように複数個が備え（または実現）られた場合、端末は、一部のＲＸ chainを通じて、特定のRx beamで、特定の帯域の信号を受信し、他の一部のＲＸ chainを介してまた別のＲｘ beamでまた別の帯域のＭＵＸされた信号を受信することができる。
【０２６４】
しかし、ＲＸ chainを十分に備えていなかった（相対的に低コストで実現された）端末は、伝送されるＣＳＩ−ＲＳを完全に受信することができなくなる。
【０２６５】
さらに、（端末に実現された）端末で支援するＲＸ chainの数と関連する特定のcapabilityについての情報を基地局に（初期に）知らせることができる。
【０２６６】
この場合、基地局は、前記特定のcapabilityについての情報を参考にして異なるＲｘ beamで同時受信が可能な端末に前記信号（及び/またはチャンネル）間ＭＵＸされた伝送を設定し、同時受信が難しい（または不可能した）端末に前記信号（及び/またはチャンネル）間ＭＵＸされた伝送を設定しないことがある。
【０２６７】
前記信号（及び/またはチャンネル）間ＭＵＸされた伝送は、（周波数軸に）ＣＳＩ−ＲＳとＳＳ block、ＣＯＲＥＳＥＴ及び/またはＤＭＲＳがmultiplexingされて端末に伝送されることを意味することができる。
【０２６８】
また、前記異なるＲＸ beamを介して前記ＭＵＸされた信号の同時受信が不可能な端末について、もし前記ＭＵＸされた信号の伝送が端末で行われた場合（または前記ＭＵＸされた信号間の（予め）設定された特定のbeam indication（またはspatial QCL indication）が異なるように設定された場合）、当該端末は、以下のような動作の内、少なくとも一つを実行するように定義することができる。
【０２６９】
ここで、以下のような端末の動作は、一種の衝突ハンドリング（collision handling）の動作として解釈されることができる。
【０２７０】
- （周波数領域で）ＭＵＸされたＳＳ blockと、特定のＣＳＩ−ＲＳの間で異なるbeam indicationが設定された場合、前記ＳＳ blockの受信ビームの指示を優先する。
【０２７１】
このとき、前記ＳＳ block用受信ビームで前記特定のＣＳＩ−ＲＳの受信を試みるよう（overriding）定義することができるか、または当該時点で端末のＣＳＩ−ＲＳの受信試みをスキップ（skip）するように（またはdropするように）定義することができる。
【０２７２】
その理由は、前記特定のＣＳＩ−ＲＳの受信より前記ＳＳ blockの受信がさらに重要であるからである。
【０２７３】
または逆に、前記特定のＣＳＩ−ＲＳの受信ビームを優先するように定義し、前記の動作を逆に適用することもできる。
【０２７４】
これは、相対的に前記特定のＣＳＩ−ＲＳのshort-termに関する動作（例えば、short term ＣＳＩ reporting）がさらに重要であるからである。
【０２７５】
または、予め「端末はＭＵＸされた信号（及び/またはチャンネル）間には異なるbeam indicationが設定されることを仮定しない」のような形の動作が保障されるように定義することができる。ただし、これは基地局がこれを保障しなければならない。
【０２７６】
− ＭＵＸされたＣＯＲＥＳＥＴ（例えば、ＰＤＣＣＨ（region））と、特定のＣＳＩ−ＲＳの間で異なるbeam indicationが設定された場合、電子（ＣＯＲＥＳＥＴ）の受信ビームの指示を優先して適用する。
【０２７７】
このとき、前記ＣＯＲＥＳＥＴ用受信ビームで前記特定のＣＳＩ−ＲＳの受信を試みるよう（overriding）定義することができるか、または当該時点で端末のＣＳＩ−ＲＳの受信試みをskipするように（またはdropするように）定義することもできる。同様に、これは前記ＣＯＲＥＳＥＴの端末の受信がさらに重要であるからである。
【０２７８】
または逆に、前記特定のＣＳＩ−ＲＳの受信ビームを優先するように定義し、前記動作を逆に適用することができる。これは前記ＣＳＩ−ＲＳの端末の受信がさらに重要であるからである。
【０２７９】
または、予め「端末はＭＵＸされた信号（及び/またはチャンネル）間には異なるbeam indicationが設定されることを仮定しない」のような形の動作が保障されるように定義することができる。ただし、これは基地局がこれを保障しなければならない。
【０２８０】
− ＭＵＸされたＤＭＲＳと、特定のＣＳＩ−ＲＳの間で異なるbeam indicationが設定された場合、前子（ＤＭＲＳ）の受信ビームの指示を優先するように適用する。
【０２８１】
この時、前記ＤＭＲＳ用受信ビームで前記特定のＣＳＩ−ＲＳの受信を試みるよう（overriding）定義することもでき、または、またはその時点で端末のＣＳＩ−ＲＳの受信の試みをskipする（またはdropするように）定義することもできる。これ前記ＤＭＲＳ（及び現在の時点のdata）の受信がさらに重要であるからである。
【０２８２】
または逆に、前記特定のＣＳＩ−ＲＳの受信ビームを優先するように定義して、前記動作を逆に適用することもできる。
【０２８３】
または、予め「端末はＭＵＸされた信号（及び/またはチャンネル）間には異なるbeam indicationが設定されることを仮定しない」のような形の動作が保障されるように定義することができ、 基地局は、これを保障しなければならない。
【０２８４】
図８は、本明細書において提案するＣＳＩ−ＲＳの受信に関する端末の動作を示すフローチャートである。
【０２８５】
まず、端末は、少なくとも一つの制御チャネルを含む資源ブロックの受信のために設定された第１空間（spatial）準同位（Quasi-Co location、ＱＣＬ）関連パラメータに基づいて前記資源ブロックを基地局から受信する（Ｓ８１０）。
【０２８６】
前記資源ブロックは、同期信号ブロック（synchronization signal block、ＳＳＢ）または制御資源のセット（control resource set、ＣＯＲＥＳＥＴ）で有り得る。
【０２８７】
例えば、前記資源ブロックが前記ＣＯＲＥＳＥＴである場合、前記第１空間（spatial）ＱＣＬ関連パラメータは、前記資源ブロックの特定の資源に対し設定されることができる。
【０２８８】
前記資源ブロックの特定の資源は、前記ＣＯＲＥＳＥＴのＰＤＣＣＨ（Physical Downlink Control Channel）と関連する資源で有り得る。
【０２８９】
もし前記資源ブロックとＣＳＩ−ＲＳが同じシンボルに設定された場合、前記端末は、前記第１空間（spatial）ＱＣＬ関連パラメータと前記ＣＳＩ−ＲＳの受信のために設定された第２空間（spatial）ＱＣＬ関連パラメータが同一に設定されたことで期待、または仮定することができる。
【０２９０】
この場合、前記端末は、前記第２空間（spatial）ＱＣＬ関連パラメータに基づいて前記ＣＳＩ−ＲＳを受信するためのビームを設定する（Ｓ８２０）。
【０２９１】
そして、前記端末は、前記設定されたビームを介して前記ＣＳＩ−ＲＳを、前記基地局から受信する（Ｓ８３０）。
【０２９２】
前記空間（spatial）準同位（Quasi-Co location、ＱＣＬ）関連パラメータは、端末の受信ビームの方向に関するパラメータを示すことができる。
【０２９３】
特に、前記資源ブロックと前記ＣＳＩ−ＲＳは、前記と同じシンボルで周波数分割多重化（Frequency Division Multiplexing、ＦＤＭ）されることができる。
【０２９４】
このように、前記資源ブロック（例えば、ＳＳＢなど）とＣＳＩ−ＲＳ間spatial ＲＸ parameter（例えば、ＲＸ受信ビームindication、ＲＸビーム方向など）についてＱＣＬを定義する理由は、受信するＣＳＩ−ＲＳ resourceの数より（実現された）ＲＸ chainの数が小さい端末を支援するためである。
【０２９５】
また、前記の動作は、前記ＣＳＩ−ＲＳがビーム管理（beam management、BM）のために使用される場合に限定することができる。
【０２９６】
その理由は、ＢＭのためのＣＳＩ−ＲＳの場合、subband reportingではない、wideband reportingを支援するので、前記資源ブロックと前記ＣＳＩ−ＲＳがＦＤＭされる場合、前述したsubbandでの衝突の問題が発生しない。
【０２９７】
前記ＣＳＩ−ＲＳがＢＭのために使用される場合、前記ＣＳＩ−ＲＳのアンテナポート数は、特定の数（Ｎ個）以下に制限されることができる。
【０２９８】
好ましくは、前記Ｎ値は、１または２で有り得、当該値は、radio resource control（ＲＲＣ）シグナリングによって設定されることができる。
【０２９９】
図９は、本明細書において提案するＣＳＩ−ＲＳの伝送に関連する基地局の動作を示すフローチャートである。
【０３００】
まず、基地局は、少なくとも一つの制御チャネルを含む資源ブロックとＣＳＩ−ＲＳを同じシンボルに設定する（Ｓ９１０）。
【０３０１】
前記資源ブロックは、同期信号ブロック（synchronization signal block、ＳＳＢ）で有り得る。
【０３０２】
そして、前記基地局は、前記資源ブロックと前記ＣＳＩ−ＲＳのための空間（spatial）準同位（Quasi-Co location、ＱＣＬ）関連パラメータを同じに設定する（Ｓ９２０）。
【０３０３】
同様に、前記資源ブロック（例えば、ＳＳＢなど）とＣＳＩ−ＲＳ間spatial ＲＸ parameter（例えば、ＲＸ受信ビームindication、ＲＸビーム方向など）についてＱＣＬを定義する理由は、受信しなければならないＣＳＩ−ＲＳ resourceの数より（実現された）ＲＸ chainの数が小さい端末を支援するためである。
【０３０４】
また、前記ＣＳＩ−ＲＳは、ビームの管理（beam management、ＢＭ）のために使用される場合に制限されることができる。
【０３０５】
前記ＣＳＩ−ＲＳがＢＭのために使用される場合、前記ＣＳＩ−ＲＳのアンテナポート数は、特定の数（Ｎ個）以下に制限されることができる。
【０３０６】
例えば、前記Ｎ値は、１または２で有り得、当該値は、radio resource control（ＲＲＣ）シグナリングを介して前記端末に伝送されることができる。
【０３０７】
そして、前記基地局は、前記資源ブロック及び前記ＣＳＩ−ＲＳを、前記設定された同じシンボルで周波数分割多重化（Frequency Division Multiplexing、ＦＤＭ）を介して端末に伝送する（Ｓ９３０）。
【０３０８】
図１０は、本明細書において提案するＣＳＩ−ＲＳの受信に関する端末の動作を示すまた他のフローチャートである。
【０３０９】
まず、基地局は、少なくとも一つの制御チャネルを含む資源ブロックとＣＳＩ−ＲＳを同じシンボルに設定する（Ｓ１０１０）。
【０３１０】
前記資源ブロックは、制御資源のセット（control resource set、ＣＯＲＥＳＥＴ）で有り得る。
【０３１１】
そして、前記基地局は、前記資源ブロックの特定の資源と前記ＣＳＩ−ＲＳの空間（spatial）準同位（Quasi-Co location、ＱＣＬ）関連パラメータを同じに設定する（Ｓ１０２０）。
【０３１２】
ここで、前記資源ブロックの特定の資源は、前記ＣＯＲＥＳＥＴのＰＤＣＣＨ（Physical Downlink Control Channel）と関連する資源または資源領域で有り得る。
【０３１３】
同様に、前記資源ブロック（例えば、ＣＯＲＥＳＥＴなど）とＣＳＩ−ＲＳ間spatial ＲＸ parameter（例えば、ＲＸ受信ビームindication、ＲＸビーム方向など）についてＱＣＬを定義する理由は、受信しなければならないＣＳＩ−ＲＳ resourceの数より（実現された）ＲＸ chainの数が小さい端末を支援するためである。
【０３１４】
そして、前記基地局は、前記資源ブロック及び前記ＣＳＩ−ＲＳを、前記設定された同じシンボルで周波数分割多重化（Frequency Division Multiplexing、ＦＤＭ）を介して端末に伝送する（Ｓ１０３０）。
【０３１５】
本発明が適用されることができる装置一般
【０３１６】
図１１は、本明細書において提案する方法が適用されることができる無線通信装置のブロック構成図を例示する。
【０３１７】
図１１を参照すると、無線通信システムは、基地局１１１０と、基地局エリア内に位置した複数の端末１１２０を含む。
【０３１８】
前記基地局と端末は、それぞれの無線デバイスで表現されることもある。
【０３１９】
基地局１１１０は、プロセッサ（processor、１１１１）、メモリ（memory、１１１２）、及びＲＦモジュール（radio frequency module、１１１３）を含む。プロセッサ１１１は、先の図１〜図１０で提案された機能、プロセス及び/または方法を実現する。無線インターフェースプロトコルの階層は、プロセッサによって実現されることができる。メモリ１１１２は、プロセッサと接続され、プロセッサを駆動するための様々な情報を貯蔵する。 ＲＦモジュール１１１３は、プロセッサと接続されて、無線信号を送信及び/または受信する。
【０３２０】
端末は、プロセッサ１１２１、メモリ１１２２とＲＦモジュール１１２３を含む。
【０３２１】
プロセッサは、先の図１〜図１０で提案された機能、プロセス及び/または方法を実現する。無線インターフェースプロトコルの階層は、プロセッサによって実現されることができる。メモリは、プロセッサと接続され、プロセッサを駆動するための様々な情報を貯蔵する。 ＲＦモジュール１１２３は、プロセッサと接続され、無線信号を送信及び/または受信する。
【０３２２】
メモリ（１１１２、１１２２）は、プロセッサ（１１１１、１１２１）の内部または外部にあることができ、よく知られている様々な手段でプロセッサと接続することができる。
【０３２３】
また、基地局及び/または端末は、一本のアンテナ（single antenna）、または多重のアンテナ（multiple antenna）を有することができる。
【０３２４】
図１２は、本発明の一実施形態に係る通信装置のブロック構成図を例示する。
【０３２５】
特に、図１２は、先の図１１の端末をさらに詳細に例示する図である。
【０３２６】
図１２を参照すると、端末は、プロセッサ（またはデジタル信号プロセッサ（ＤＳＰ：digital signal processor）１２１０、ＲＦモジュール（ＲＦ module）（またはＲＦユニット１２３５、パワー管理モジュール（power management module）１２０５、アンテナ（antenna１２４０、バッテリー（battery１２５５、ディスプレイ（display）１２１５、キーパッド（keypad）１２２０、メモリ（memory）１２３０、ＳＩＭカード（ＳＩＭ（Subscriber Identification Module ）card）１２２５（この構成は、オプションです）、スピーカー（speaker）１２４５及びマイクロホン（microphone１２５０を含みから構成されることができる。端末はまた、単一のアンテナまたは多重のアンテナを含むことができる。
【０３２７】
プロセッサ１２１０は、先の図１〜図１０で提案された機能、プロセス及び/または方法を実現する。無線インターフェースプロトコルの階層は、プロセッサによって実現されることができる。
【０３２８】
メモリ１２３０は、プロセッサと接続され、プロセッサの動作に関連する情報を貯蔵する。メモリ１２３０は、プロセッサの内部または外部にあることができ、よく知られている様々な手段でプロセッサと接続することができる。
【０３２９】
ユーザは、例えば、キーパッド１２２０のボタンを押すか、（あるいはタッチするか、）またはマイクロホン１２５０を利用した音声駆動（voice activation）によって電話番号などのようなコマンド情報を入力する。プロセッサは、このようなコマンド情報を受信し、電話番号に電話をかけるなど、適切な機能を実行するように処理する。駆動上のデータ（operational data）は、ＳＩＭカード１２２５またはメモリ１２３０から抽出することができる。さらに、プロセッサは、ユーザが認知し、また便宜のために、コマンド情報または駆動情報をディスプレイ１２１５上にディスプレイすることができる。
【０３３０】
ＲＦモジュール１２３５は、プロセッサに接続され、ＲＦ信号を送信及び/または受信する。プロセッサは、通信を開始するために、例えば、音声通信データを構成する無線信号を伝送するように命令情報をＲＦモジュールに伝達する。ＲＦモジュールは、無線信号を受信及び送信するために受信機（receiver）と伝送機（transmitter）で構成される。アンテナ１２４０は、無線信号を送信及び受信する機能をする。無線信号を受信するとき、ＲＦモジュールは、プロセッサによって処理するために信号を伝達しベース帯域に信号を変換することができる。処理された信号は、スピーカー１２４５を介して出力される可聴または可読情報に変換することができる。
【０３３１】
図１３は、本明細書において提案する方法が適用されることができる無線通信装置のＲＦモジュールの一例を示した図である。
【０３３２】
具体的に、図１３は、ＦＤＤ（Frequency Division Duplex）システムで実現することができるＲＦモジュールの一例を示す。
【０３３３】
まず、伝送パスにおいて、図１１及び図１２で記述されたプロセッサは、伝送されるデータをプロセシングして、アナログ出力信号を送信機１３１０に提供する。
【０３３４】
送信機１３１０の中で、アナログ出力信号は、デジタル−対−アナログ変換（ＡＤＣ）によって引き起こされるイメージを除去するためにローパスフィルタ（Low Pass Filter、ＬＰＦ）１３１１によってフィルタリングされ、アップコンバータ（Mixer、１３１２）によってベース帯域からＲＦにアップコンバートされ、可変利得アンプ（Variable Gain Amplifier、ＶＧＡ１３１３によって増幅され、増幅された信号は、フィルタ１３１４によってフィルタリングされ、パワーアンプ（Power Amplifier、ＰＡ１３１５によって追加で増幅され、デュプレクサ１３５０／アンテナスイッチ１３６０を介してルーティングされ、アンテナ１３７０を介して伝送される。
【０３３５】
また、受信パスにおいて、アンテナ１３７０は、外部からの信号を受信し、受信された信号を提供し、これらの信号は、アンテナスイッチ１３６０／デュプレクサ１３５０を介してルーティングされ、受信機１３２０に提供される。
【０３３６】
受信機１３２０の内で、受信された信号は、低雑音増幅器（Low Noise Amplifier、ＬＮＡ１３２３によって増幅され、帯域通過フィルタ１３２４によってフィルタリングされ、ダウンコンバータ（Mixer、１３２５）によってＲＦからベース帯域にダウン変換される。
【０３３７】
前記ダウン変換された信号は、低域通過フィルタ（ＬＰＦ、１３２６）によってフィルタリングされ、ＶＧＡ１３２７によって増幅され、アナログ入力信号を獲得し、これは、図１１及び図１２に記述されたプロセッサに提供される。
【０３３８】
また、ローカル発振器（local oscillator、ＬＯ）発生器１３４０は、伝送及び受信ＬＯ信号を発生及びアップコンバータ１３１２及びダウンコンバータ１３２５にそれぞれ提供する。
【０３３９】
また、位相ロックループ（Phase Locked Loop、ＰＬＬ）１３３０は、適切な周波数で伝送及び受信ＬＯ信号を生成するために、プロセッサからの制御情報を受信し、制御信号をＬＯ発生器１３４０に提供する。
【０３４０】
また、図１３に図示された回路は、図１３に示した構成と異なるように配列されることもある。
【０３４１】
図１４は、本明細書において提案する方法が適用されることができる無線通信装置のＲＦモジュールのまた他の一例を示した図である。
【０３４２】
具体的に、図１４は、ＴＤＤ（Time Division Duplex）システムで実現することができるＲＦモジュールの一例を示す。
【０３４３】
ＴＤＤシステムでのＲＦモジュールの送信機１４１０と受信機１４２０は、ＦＤＤシステムでのＲＦモジュールの伝送機及び受信機の構造と同一である。
【０３４４】
以下、ＴＤＤシステムのＲＦモジュールは、ＦＤＤシステムのＲＦモジュールとの差が出る構造のみ注意深く見ることにし、同じ構造については、図１３の説明を参照にする。
【０３４５】
伝送機の電力増幅器（Power Amplifier、ＰＡ）１４１５によって増幅された信号は、バンド選択スイッチ（Band Select Switch、１４５０）、バンド通過フィルタ（ＢＰＦ、１４６０）、及びアンテナスイッチ１４７０を介してしてルーティングされ、アンテナ１４８０を介して伝送される。
【０３４６】
また、受信パス、アンテナ１４８０は、外部からの信号を受信し、受信された信号を提供し、これらの信号は、アンテナスイッチ１４７０、バンドパスフィルタ１４６０とバンド選択スイッチ１４５０を介してルーティングされ、受信機１４２０に提供される。
【０３４７】
以上で説明した実施形態は、本発明の構成要素と特徴が所定の形態で結合されたものである。各構成要素または特徴は、別の明示的な言及がない限り選択的なもので考慮されるべきである。各構成要素または特徴は、他の構成要素や特徴と結合されない形態で実施されることがある。
また、一部の構成要素及び/または特徴を結合して、本発明の実施形態を構成することも可能である。本発明の実施形態で説明される動作の順序は変更されることができる。いずれの実施形態の一部の構成や特徴は、他の実施形態に含まれることができ、または他の実施形態に対応する構成または特徴と差し替えることができる。特許請求の範囲で明示的な引用関係がない請求項を結合して実施形態を構成したり、出願後の補正により新しい請求項として含めることができることは自明である。
【０３４８】
本発明に係る実施形態は、様々な手段、例えば、ハードウェア、ファームウェア（firmware）、ソフトウェアまたはそれらの組み合わせなどにより実現されることができる。ハードウェアによる実現の場合、本発明の一実施形態は、一つまたはそれ以上のＡＳＩＣｓ（application specific integrated circuits）、ＤＳＰｓ（digital signal processors）、ＤＳＰＤｓ（digital signal processing devices）、ＰＬＤｓ（programmable logic devices）、ＦＰＧＡｓ（ field programmable gate arrays）、プロセッサ、コントローラ、マイクロコントローラ、マイクロプロセッサなどにより実現されることができる。
【０３４９】
ファームウェアやソフトウェアによる実現の場合、本発明の一実施形態は、以上で説明した機能または動作を実行するモジュール、プロシージャ、関数などの形態で実現されることができる。ソフトウェアコードは、メモリに貯蔵されてプロセッサによって駆動されることができる。前記メモリは、前記プロセッサの内部または外部に位置して、既に公知された多様な手段により、前記プロセッサとデータを送受信することができる。
【０３５０】
本発明は、本発明の必須的特徴を逸脱しない範囲で他の特定の形態で具体化されることがあるのは、通常の技術者にとって自明である。したがって、前述した詳細な説明は、すべての面で制限的に解釈してはならないし、例示的なものとみなされるべきである。本発明の範囲は、添付された請求項の合理的解釈によって決定されるべきであり、本発明の等価的範囲内でのすべての変更は、本発明の範囲に含まれる。
【産業上の利用可能性】
【０３５１】
本発明の無線通信システムで参照信号を送受信する方案は３ＧＰＰ ＬＴＥ/ＬＴＥ−Ａシステムでは、５Ｇシステム（Ｎｅｗ ＲＡＴシステム）に適用される例を中心に説明したが、他にも様々な無線通信システムに適用することが可能である。
【図１】
0006961712.tif 000037
【図２】
0006961712.tif 000038
【図３】
0006961712.tif 000039
【図４】
0006961712.tif 000040
【図５】
0006961712.tif 000041
【図６】
0006961712.tif 000042
【図７】
0006961712.tif 000043
【図８】
0006961712.tif 000044
【図９】
0006961712.tif 000045
【図１０】
0006961712.tif 000046
【図１１】
0006961712.tif 000047
【図１２】
0006961712.tif 000048
【図１３】
0006961712.tif 000049
【図１４】
0006961712.tif 000050